(57)【要約】【課題】床パンの浴槽側に設けられた点検口を経由して立ち上げられる配管の支持構造において、点検が容易にできる位置にそのスペースを確保しつつ、できるだけ小さい開口内で、必要な配管を精密な位置に立ち上げることを可能とする配管支持構造及び配管支持材を提供する。【解決手段】入浴者が洗髪洗体を行うことができる洗い場部と、浴槽が載置される浴槽載置部とを有する床パンの、上記浴槽載置部に設けられた開口を貫通する配管を支持する配管支持構造において、上記浴槽載置部の上記洗い場部と接続される入り隅部に設けられた開口と、該開口内の上記浴槽載置部短手方向端部の外縁に取り付けられ、上記配管の外周を把持する配管支持材と、上記開口内の該配管支持材及び配管より上記浴槽載置部の長手方向中央部側を点検口として利用できる空間とを備える。【選択図】  図４
2006200156.tif 000002
【特許請求の範囲】
【請求項１】
入浴者が洗髪洗体を行うことができる洗い場部と、浴槽が載置される浴槽載置部とを有する床パンの、上記浴槽載置部に設けられた開口を貫通する配管を支持する配管支持構造において、
上記浴槽載置部の上記洗い場部と接続される入り隅部に設けられた開口と、
該開口内の上記浴槽載置部短手方向端部の外縁に取り付けられ、上記配管の外周を把持する配管支持材と、
上記開口内の該配管支持材及び配管より上記浴槽載置部の長手方向中央部側を点検口として利用できる空間と、
を備えることを特徴とする配管支持構造。
【請求項２】
前記配管支持材は、配管の外周を把持する把持部と、該把持部を係止する係止孔が穿設された基部と、該基部を固定体に取り付ける取付部とを備えることを特徴とする請求項１記載の配管支持材。
【発明の詳細な説明】
【技術分野】
【０００１】
本発明は、ユニットバス等に配設される配管の支持構造に係り、特に床パンに設けられた点検口を貫通する配管の支持構造に関する。また、本発明は、斯かる配管支持構造に用いられる配管支持材に関する。
【背景技術】
【０００２】
フルパン構造と呼ばれるタイプのユニットバスは、床全面に架台を介して敷設された床パン上に浴槽を載置し、壁パネルも床パン外縁上に周設される構造を有するものである。
【０００３】
このタイプのユニットバスの中には、浴槽へ給水給湯する給水管・給湯管等を床パン下に配設し、床パンに設けられた開口を経由して立ち上げた後、浴槽に取設された水栓金具等に接続するものがある。そして、この開口は、ゴムパッキン等で被覆され、その周囲はシリコンコーキング等により固められて漏水防止処理されていた。
【０００４】
この配管には、主に樹脂管等の可撓性を有する配管が用いられ、床パン下では建築床に直接、又は配管用固定具を介して固定されるものの（例えば、特許文献１参照。）、開口下で折曲された先は、特に支持されることなく、又は開口下において建築壁にブラケットを取り付け、それにより支持されていた。
【０００５】
そのため、配管経路も精密なものではなく、図５に示すように、配管１０１を挿通させる開口１００は経路の誤差を吸収すべく大きめに設けられていた（例えば、特許文献２参照。）。それでも、上述した支持方法では、開口からブラケット等の支持材が見えることはなかった。
【０００６】
また、開口の位置も、大雑把な配管経路の誤差を吸収可能なように、浴槽端部の略中央に設けられることが多かった。そのため、配管が立ち上がっていても開口自体は十分な大きさがあるため、その中を覗く、手、或いは鏡を入れる等点検作業は容易に行えるはずであるところ、浴槽が障害となって、点検するには浴槽を一旦移動させる必要がある、また、シリコンコーキング等で固められている等のため、滅多に点検が行われるものではなかった。
【特許文献１】特開平１０−５４４８３号公報
【特許文献２】特開２００２−２９４７８７号公報
【発明の開示】
【発明が解決しようとする課題】
【０００７】
ところで、この床パンの材料として、特殊な機能、例えば気泡発生装置の騒音を低減する遮音機能や浴槽に溜められた湯の温度低下を遅らせる断熱機能を有する、上記以外の材料、例えば発泡ポリプロピレンや発泡スチロール等を採用したい場合がある。この場合、これらの材料は採用された目的からして浴槽の周囲を囲う必要があり、そのため床パン外縁から浴槽の浴槽エプロン側を除く三側面では、床パンが浴槽のリム近傍まで延出立設される。
【０００８】
そして、その機能を十分に発揮させるには、開口や孔はできるだけ少なく、且つ小さく設けて、そこから音や熱が漏れることを抑える必要がある。この場合、配管経路を精密に確定させなければ開口や孔を小さくすることができない。一方、床パン下に位置する排水トラップ等を点検するためには、この開口にはある程度の大きさが要求される。
【０００９】
本発明は、上述した事情を考慮してなされたもので、床パンの浴槽側に設けられた点検口を経由して立ち上げられる配管の支持構造において、点検が容易にできる位置にそのスペースを確保しつつ、できるだけ小さい開口内で、必要な配管を精密な位置に立ち上げることを可能とする配管支持構造及び配管支持材を提供することを目的とするものである。
【課題を解決するための手段】
【００１０】
本発明に係る配管支持構造は、上述した課題を解決するために、請求項１に記載したように、入浴者が洗髪洗体を行うことができる洗い場部と、浴槽が載置される浴槽載置部とを有する床パンの、上記浴槽載置部に設けられた開口を貫通する配管を支持する配管支持構造において、上記浴槽載置部の上記洗い場部と接続される入り隅部に設けられた開口と、該開口内の上記浴槽載置部短手方向端部の外縁に取り付けられ、上記配管の外周を把持する配管支持材と、上記開口内の該配管支持材及び配管より上記浴槽載置部の長手方向中央部側を点検口として利用できる空間とを備えるものである。
【００１１】
そして、前記配管支持材は、好適には、請求項２に記載したように、配管の外周を把持する把持部と、該把持部を係止する係止孔が穿設された基部と、該基部を固定体に取り付ける取付部とを備える構成とすることができる。
【発明の効果】
【００１２】
本発明に係る配管支持構造及び配管支持材によれば、床パンの浴槽側に設けられた点検口を経由して立ち上げられる配管の支持構造において、点検が容易にできる位置にそのスペースを確保しつつ、できるだけ小さい開口内で、必要な配管を精密な位置に立ち上げることが可能となる。
【発明を実施するための最良の形態】
【００１３】
本発明に係る床パンの分割構造の実施の形態について、添付図面を参照して説明する。図１は、本発明に係る配管支持構造を備えるユニットバス１の概要を示す分解斜視図である。本実施形態に示された床パン２は、洗い場床パン３と浴槽パン４との別体に形成される。
【００１４】
洗い場床パン３は、ＳＭＣやＢＭＣのＦＲＰで成形され、浴槽パン４と対向する辺以外の三方の外縁には、壁パネル８Ｄや図示しないドア枠を載置可能な壁パネル載置部３１が設けられる。
【００１５】
洗い場床パン３の壁パネル載置部３１の内側部分は同一レベルに形成され、浴槽パン４と対向する辺の中央に設けられた洗い場排水凹部３２を指向して下り勾配が形成されている。この洗い場床パン３は、形鋼等が剛に接合され、レベル調整可能な複数の脚部を備える洗い場側架台１１上に固設される。
【００１６】
一方、洗い場床パン３の浴槽載置部３１に対向する辺には、その全長に亘り、洗い場床パン３で発生した水が浴槽パン４側へ流出することを防止するとともに、浴槽エプロン７を支承する土手部３３が立設される
浴槽パン４は、発泡ポリプロピレン（ＥＰＰ）や、発泡ポリスチロール（ＥＰＳ）等のプラスチック系の材料を発泡成形させた断熱材で形成され、漏水を防止する外、浴槽６内に溜められた湯の熱が浴槽裏面から伝導、放射することを防止する。この浴槽パン４は、浴槽６の底面に位置する底部４１と、洗い場床パン３に対向する側を除く三方に、この底部の外縁から延出し浴槽６の上端周囲が外方へ拡開延出するリム６ａの高さ近くまで立設された側部４２とを備える。
【００１７】
この浴槽パン４の底部４１の洗い場床パン３に対向する一辺の両端には、配管貫通部４３，４３が設けられ、浴槽６への給水管・給湯管等が挿通される外、床パン下の点検口の役割を果たす。また、底部４１の洗い場床パン３に対向する一辺の中央には、浴槽６からの排水を集水する浴槽排水部４４が設けられる。この浴槽排水部４４からの汚水は、洗い場排水凹部３２からの汚水とともに、排水トラップ１３へ集められた後、排水管１４を介して外部へと放出される。
【００１８】
この浴槽パン４は、浴槽側架台１２上に固設される。浴槽側架台１２は、形鋼等が剛に接合され架台の四周を構成する周辺フレーム１２ａと、浴槽パンの荷重を直接受ける浴槽パン受けフレーム１２ｂと、レベル調整可能な複数の支持脚１２ｃとを備える。そして、周辺フレーム１２ａの両短辺には、この浴槽側架台１２の、配管貫通部４３，４３に対応する位置に、本願発明に係る配管支持材５，５が取設される。
【００１９】
また、側部４２上端及び洗い場床パン３に対向する端部には、比較的柔らかくて脆い部材で形成される浴槽パン４端部の欠損、そり、変形等を防止すると同時に、浴槽パン４の上に壁パネル６を載置可能とする強度と平面を備える壁受け材９が外嵌され、壁パネル８Ａ〜８Ｃは、この壁受け材１１上に立設される。
【００２０】
浴槽６は、保温性を有する材料により成型された内側断熱層１０を介して、浴槽パン４上に載置される。また、浴槽７の洗い場床パン３側の側面には、これを掩蔽する浴槽エプロン７が着脱自在に取設される。
【００２１】
続いて、本願発明に係る配管支持構造について説明する。図２は、配管支持材５の詳細を示す斜視図である。配管支持材５は、浴槽側架台１２の周辺フレーム１２ａの短辺の、配管貫通部４３，４３に対応する位置に取り付けられる。
【００２２】
本実施形態に係る配管支持材５は、金属板等が折曲加工されて形成され、配管６０をその外周に巻かれたペフ材６１上で把持するバンド５１と、このバンド５１を係止する係止孔５２が複数穿設された基部５３と、この基部５３を浴槽側架台１２に取り付ける左右一対の取付部５４とを備える。
【００２３】
取付部５４は、ねじ５５により浴槽側架台１２にねじ止めされる。本実施形態に係る基部５３は、上下が開口した角柱状に形成されているので、複数の配管６０を所要の間隔を保って支持することができる。なお、本実施形態に係るバンド５１は、本発明の把持部を構成する。
【００２４】
このように、配管支持材５は浴槽側架台１２の一部として所定の位置に取設されるので、配管６０は、建築側に取設されたブラケットに支持される場合等と異なり、正確な位置で支持される。
【００２５】
浴槽側架台１２に、配管６０が配管支持材５を介して取り付けられると、図３に示すように、洗い場側架台１１上に洗い場床パン３が載置され、同様に、浴槽パン４が浴槽側架台１２上に載置される。
【００２６】
配管貫通部４３は、浴槽パン４の洗い場床パン３側に対向する辺の端部において、洗い場床パン３と略同じ高さに開口を形成する。配管貫通部４３は、長方形の一角が切欠されたような五角形に形成される。なお、配管貫通部４３の形状はこの実施形態に示されたものに限定されない。
【００２７】
配管支持材５は、浴槽側架台１２の周辺フレーム１２ａの短辺に取設されるので、浴槽側架台１２及び配管支持材５に把持された配管６０，６０は、この配管貫通部４３内において、側部４２近傍のスペースを占有する。そして、配管貫通部４３の浴槽パン４の長手方向中央部寄りのスペースは、点検スペースＳとして確保される。
【００２８】
この位置に点検スペースＳを確保することにより、矢印Ｉで示すように、洗い場排水凹部３２及び浴槽排水部４４の下に位置する排水トラップ１３の方向に障害がなく、床パン下点検の主目標である排水トラップ１３及び排水管１４が見易くなる。
【００２９】
また、本実施形態と異なり、排水トラップ１３が、壁パネル８Ｄ側略中央近傍に設けられるタイプのユニットバスも存在するが、このタイプのものであっても、矢印ＩＩで示すように、排水トラップ１３の方向に障害がなく、同様に排水トラップ１３及び排水管１４の点検が容易になる。
【００３０】
このように配管支持材５を設けることにより、配管６０が正確な位置に支持され、その結果、配管貫通部４３は従来の点検口よりも小さく形成されるにも拘わらず、十分な点検スペースＳを適正な位置に確保することが可能となる。
【００３１】
浴槽パン４が載置されると、漏水を防止すべく、配管貫通部４３はパッキン６２及び枠蓋６３により掩蔽される。
【００３２】
パッキン６２は、柔軟なゴム或いはエラストマーで形成された膜状の部材であり、上方に段状に突出した突出部６２ａを、管径に適合した部分で切断して、配管６０、６０を挿通させる。これにより、漏水の虞なく固定される。
【００３３】
枠蓋６３は、中央が開口された環状の略板材である。枠蓋６３は、穿設されたねじ孔６３ａにねじ６４を螺合させて配管貫通部４３上に載置固定され、枠蓋６３と配管貫通部４３上端とでパッキン６３が挟装される。
【００３４】
これにより、浴槽パンに水が漏れても、その水が配管貫通部４３から建築床へと漏れることが防止される。また、例えばユニットバス据付中に配管６０が引っ張られると、これに従ってパッキン６２も引っ張られて伸張し破損する虞があるが、配管支持材５が存在することによりこの伸張が遮られ、パッキン６２の破損が防止される。
【００３５】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３６】
例えば、本実施形態においては、洗い場床パンと浴槽パンとが別種の材料で形成される場合を例に採って説明したが、これに限られず、同種の材料で形成されるものであってもよい。また、洗い場部と浴槽載置部とが一体に形成されるものであってもよい。
【図面の簡単な説明】
【００３７】
【図１】本発明に係る配管支持構造を備えるユニットバスの概要を示す分解斜視図。
【図２】本実施形態に係る配管支持構造を示す斜視図。
【図３】本実施形態に係る配管支持構造を示す平面図。
【図４】本実施形態に係る配管支持構造へのゴムパッキン取り付けを説明する分解斜視図。
【図５】従来の配管支持状態を示す斜視図。
【符号の説明】
【００３８】
１  ユニットバス
２  床パン
３  洗い場床パン
４  浴槽パン
５  配管支持材
６  浴槽
７  浴槽エプロン
８Ａ〜８Ｄ  壁パネル
９  壁受け材
１０  内側断熱層
１１  洗い場側架台
１２  浴槽側架台
１２ａ  周辺フレーム
１２ｂ  浴槽パン受けフレーム
１２ｃ  支持脚
１３  排水トラップ
１４  排水管
３１  壁パネル載置部
３２  洗い場排水凹部
３３  土手部
４１  底部
４２  側部
４３  配管貫通部
４４  浴槽排水部
５１  バンド
５２  係止孔
５３  基部
５４  取付部
５５，６４  ねじ
６０  配管
６１  ペフ材
６２  パッキン
６２ａ  突出部
６３  枠蓋
６３ａ  ねじ孔
Ｓ  点検スペース
【図１】
2006200156.tif 000003
【図２】
2006200156.tif 000004
【図３】
2006200156.tif 000005
【図４】
2006200156.tif 000006
【図５】
2006200156.tif 000007